(57)【要約】【課題】特性の異なる交換レンズを用いる場合でも、ユーザが登録した位置でＡＦを行えるようにすることを目的とする。【解決手段】交換レンズを装着する装着部と、特定の操作が行われた場合に移動するフォーカス調整位置として交換レンズごとに異なる位置を登録可能な登録手段と、前記装着部に装着された交換レンズの種別を判別する判別手段と、前記特定の操作があったことに応じて、切替え前のフォーカス調整位置に関わらず、前記判別手段で判別された装着中の交換レンズの種別に対応して前記登録手段で登録された位置にフォーカス調整位置を切替えるように制御する制御手段と、を有することを特徴とする。【選択図】図３
2019124807.tif 000002
【特許請求の範囲】
【請求項１】
交換レンズを装着する装着部と、
特定の操作が行われた場合に移動するフォーカス調整位置として交換レンズごとに異なる位置を登録可能な登録手段と、
前記装着部に装着された交換レンズの種別を判別する判別手段と、
前記特定の操作があったことに応じて、切替え前のフォーカス調整位置に関わらず、前記判別手段で判別された装着中の交換レンズの種別に対応して前記登録手段で登録された位置にフォーカス調整位置を切替えるように制御する制御手段と、を有することを特徴とする撮像装置。
【請求項２】
前記登録手段は、
前記特定の操作が行われた場合に移動するフォーカス調整位置として、前記装着部に装着された交換レンズの種別に対応する位置と、複数の交換レンズの種別に対応する共通な位置と、を登録可能であることを特徴とする請求項１に記載の撮像装置。
【請求項３】
前記制御手段は、
前記装着部に装着された交換レンズの種別に対応する位置が登録されている場合には、前記特定の操作に応じてフォーカス調整位置を前記登録手段により登録された前記交換レンズの種別に対応する位置に切替え、
前記装着部に装着された交換レンズの種別に対応する位置が登録されていない場合には、前記特定の操作に応じてフォーカス調整位置を複数の交換レンズの種別に対応する共通な位置に切替えるように制御することを特徴とする請求項１または２に記載の撮像装置。
【請求項４】
前記登録手段は、
前記装着された交換レンズの種別に応じて、前記フォーカス調整位置として登録可能な位置を制限することを特徴とする請求項１ないし３の何れか１項に記載の撮像装置。
【請求項５】
前記登録手段は、
Ｆ値が小さい交換レンズよりもＦ値が大きい交換レンズが装着された場合に、前記フォーカス調整位置として登録可能な位置を少なくするように制限することを特徴とする請求項４に記載の撮像装置。
【請求項６】
前記登録手段は、
前記特定の操作が行われた場合に移動するフォーカス調整位置として、前記装着された交換レンズの種別に応じて登録可能な位置をユーザに選択可能に表示し、
ユーザにより選択された位置を、前記特定の操作が行われた場合に移動するフォーカス調整位置として登録することを特徴とする請求項１ないし５の何れか１項に記載の撮像装置。
【請求項７】
前記制御手段は、
前記装着部に交換レンズが装着された場合に、前記特定の操作が行われた場合に移動するフォーカス調整位置として装着中の交換レンズの種別に対応する位置を登録するか否かをユーザに確認するための表示をするように制御することを特徴とする請求項１ないし６の何れか１項に記載の撮像装置。
【請求項８】
前記制御手段は、
表示手段に撮影待機画面が表示された状態で、前記装着部に交換レンズが装着された場合に、前記特定の操作が行われた場合に移動するフォーカス調整位置として装着中の交換レンズの種別に対応する位置を登録するか否かをユーザに確認するための表示をするように制御することを特徴とする請求項１ないし７の何れか１項に記載の撮像装置。
【請求項９】
前記制御手段は、
前記フォーカス調整位置として、前記装着中の交換レンズの種別に対応する位置を登録するか、または、複数の交換レンズの種別に対応する共通な位置を登録するかをユーザに選択可能に表示するように制御することを特徴とする請求項７または８に記載の撮像装置。
【請求項１０】
前記制御手段は、
前記装着部に交換レンズが装着された場合に、前記特定の操作が行われた場合に移動するフォーカス調整位置として装着中の交換レンズの種別に対応する位置を登録するための設定画面を表示するように制御することを特徴とする請求項１ないし９の何れか１項に記載の撮像装置。
【請求項１１】
前記制御手段は、
表示手段に撮影待機画面が表示された状態で、前記装着部に交換レンズが装着された場合に、前記特定の操作が行われた場合に移動するフォーカス調整位置として装着中の交換レンズの種別に対応する位置を登録するための設定画面を表示するように制御することを特徴とする請求項１ないし１０の何れか１項に記載の撮像装置。
【請求項１２】
前記制御手段は、
前記装着部に装着された交換レンズの種別に対応する位置が登録されておらず、かつ、前記装着部に装着された交換レンズでは前記フォーカス調整位置として複数の交換レンズの種別に共通な位置に切替えることができない場合に、前記装着部に装着された交換レンズに対応する位置を登録するための設定画面を表示するように制御することを特徴とする請求項１ないし１１の何れか１項に記載の撮像装置。
【請求項１３】
前記制御手段は、
前記特定の操作に応じてフォーカス調整位置を切替えられない場合には、前記特定の操作が行われた場合に移動するフォーカス調整位置として装着中の交換レンズの種別に対応する位置を登録できないように制御することを特徴とする請求項１ないし１２の何れか１項に記載の撮像装置。
【請求項１４】
前記制御手段は、
前記特定の操作に応じてフォーカス調整位置を切替えられない場合として、フォーカス調整位置を切替える機能が操作部材に割り当てられていない場合に、前記特定の操作が行われた場合に移動するフォーカス調整位置として装着中の交換レンズの種別に対応する位置を登録できないように制御することを特徴とする請求項１３に記載の撮像装置。
【請求項１５】
交換レンズを装着する装着部を備える撮像装置の制御方法であって、
特定の操作が行われた場合に移動するフォーカス調整位置として交換レンズごとに異なる位置を登録可能な登録ステップと、
前記装着部に装着された交換レンズの種別を判別する判別ステップと、
前記特定の操作があったことに応じて、切替え前のフォーカス調整位置に関わらず、前記判別ステップで判別された装着中の交換レンズの種別に対応して前記登録ステップで登録された位置にフォーカス調整位置を切替えるように制御する制御ステップと、を有することを特徴とする撮像装置の制御方法。
【請求項１６】
コンピュータを、請求項１ないし１４の何れか１項に記載された撮像装置の制御手段として機能させるためのプログラム。
【請求項１７】
コンピュータを、請求項１ないし１４の何れか１項に記載された撮像装置の制御手段として機能させるためのプログラムを格納したコンピュータが読み取り可能な記録媒体。
【発明の詳細な説明】
【技術分野】
【０００１】
本発明は、撮像装置、撮像装置の制御方法、プログラムおよび記録媒体に関する。
【背景技術】
【０００２】
複数の測距点のうち、ユーザがよく使う測距点を登録しておき、簡単に呼び出せるようにした撮像装置が知られている。
特許文献１では、ユーザがカメラの横姿勢と縦姿勢とのそれぞれでよく用いる測距点を予め登録しておき、カメラの姿勢が変化すると変化後の姿勢に対応付けて登録した測距点で測距および合焦制御を行う撮像装置が開示されている。
【先行技術文献】
【特許文献】
【０００３】
【特許文献１】特開２０１１−４７９８５号公報
【発明の概要】
【発明が解決しようとする課題】
【０００４】
しかしながら、特許文献１のように登録された測距点が、交換レンズによってはＡＦ（オートフォーカス）を行う位置として適切ではない場合がある。これは、入ってくる光の量等のレンズ固有の特性との関係から、交換レンズによっては十分なＡＦ性能を発揮できないためである。
本発明は、上述したような課題に鑑みて、特性の異なる交換レンズを用いる場合でも、ユーザが登録した位置でＡＦを行えるようにすることを目的とする。
【課題を解決するための手段】
【０００５】
本発明の撮像装置は、交換レンズを装着する装着部と、特定の操作が行われた場合に移動するフォーカス調整位置として交換レンズごとに異なる位置を登録可能な登録手段と、前記装着部に装着された交換レンズの種別を判別する判別手段と、前記特定の操作があったことに応じて、切替え前のフォーカス調整位置に関わらず、前記判別手段で判別された装着中の交換レンズの種別に対応して前記登録手段で登録された位置にフォーカス調整位置を切替えるように制御する制御手段と、を有することを特徴とする。
【発明の効果】
【０００６】
本発明によれば、特性の異なる交換レンズを用いる場合でも、ユーザが登録した位置でＡＦを行うことができる。
【図面の簡単な説明】
【０００７】
【図１】デジタルカメラの外観構成の一例を示す図である。
【図２】デジタルカメラの内部構成の一例を示す図である。
【図３】ＡＦ測距点の切替え処理の一例を示すフローチャートである。
【図４】ＡＦ測距点登録処理の一例を示すフローチャートである。
【図５】ＡＦ位置設定画面の一例を示す図である。
【図６】ＡＦ位置設定画面の一例を示す図である。
【図７】撮影待機画面の一例を示す図である。
【図８】ＡＦ位置設定画面の一例を示す図である。
【発明を実施するための形態】
【０００８】
以下、図面を参照して本発明の好適な実施形態について説明する。
（第１の実施形態）
本実施形態では、撮像装置がデジタルカメラ１００（以下、カメラ１００という）である場合について説明する。
図１（ａ）、（ｂ）は、カメラ１００の外観図の一例を示す図である。図１（ａ）はカメラ１００の前面斜視図であり、図１（ｂ）はカメラ１００の背面斜視図である。
カメラ１００は、上面にシャッターボタン１０１、メイン電子ダイヤル１０２、モード切替スイッチ１０３、ファインダ外表示部１０４等を備える。シャッターボタン１０１は、撮影準備指示あるいは撮影指示するための操作部である。メイン電子ダイヤル１０２は、シャッター速度や絞り等の設定値を変更するための回転式の操作部である。モード切替スイッチ１０３は、各種モードを切替えるための操作部である。モード切替スイッチ１０３により静止画撮影モード、動画撮影モード等に切替えられる。ファインダ外表示部１０４は、シャッター速度や絞り等の様々な設定値を表示する。
【０００９】
また、カメラ１００は、背面に表示部１０５、電源スイッチ１０６、サブ電子ダイヤル１０７、十字キー１０８、ＳＥＴボタン１０９、ライブビューボタン１１０を備える。また、カメラ１００は、拡大ボタン１１１、縮小ボタン１１２、再生ボタン１１３、ファインダ１１４等を備える。
表示部１０５は、画像や各種情報を表示する。表示部１０５は、表示手段の一例である。また、表示部１０５は、ライブビュー画像を表示したり、静止画撮影後のクイックレビュー画像を表示したり、動画記録中の画像を表示したりする。電源スイッチ１０６は、カメラ１００の電源のオンおよびオフを切替える操作部である。サブ電子ダイヤル１０７は、選択枠の移動や画像送り等を行うための回転式の操作部である。十字キー１０８は、上下左右にそれぞれ押下可能なキー（４方向キー）であり、押下した位置に応じた操作が可能である。ＳＥＴボタン１０９は、主に選択項目を決定するときに押下される操作部である。
【００１０】
ライブビューボタン１１０は、静止画撮影モードにおいてはファンダー撮影モードとライブビュー撮影モードとを切替え、動画撮影モードにおいては動画撮影（記録）の開始、停止を指示するための操作部である。拡大ボタン１１１は、ライブビュー画像の表示において拡大モードのオン、オフおよび拡大モード中の拡大率を変更するための操作部である。また、拡大ボタン１１１は、再生モードにおいて再生画像の拡大率を大きくするときに用いられる。縮小ボタン１１２は拡大された再生画像の拡大率を小さくし、表示された画像を縮小させるための操作部である。再生ボタン１１３は、撮影モードと再生モードとを切替えるためのボタンである。静止画撮影モードあるいは動画撮影モード中に再生ボタン１１３が押下されることで、再生モードに切替えられ、表示部１０５に記録媒体に記録された画像のうち最新の画像が表示される。ファインダ１１４は、後述するフォーカシングスクリーンを観察することで、被写体の光学像の焦点や構図の確認を行うための覗き込み型のファインダである。
【００１１】
また、カメラ１００の右側にはグリップ部１１５、蓋部１１６等を備え、左側には端子カバー１１７等を備える。グリップ部１１５は、ユーザがカメラ１００を構えたときに右手で握り易いように形成された保持部である。蓋部１１６は、記録媒体を格納するスロットを閉塞するための蓋である。端子カバー１１７は、外部機器の接続ケーブル等を接続するコネクタを保護するためのカバーである。
また、カメラ１００の内部には、アクチュエータによってアップダウンされるクイックリターンミラー１１８が配置される。また、カメラ１００は、交換レンズとしてのレンズユニットを装着する装着部１１９と、レンズユニットと通信するための通信端子１２０とを備える。
【００１２】
図２は、カメラ１００の構成の一例を示すブロック図である。なお、図１と同一の構成は、同一符号を付してその説明を適宜、省略する。カメラ１００は、着脱可能な交換レンズとしてのレンズユニット２０１が装着される。
レンズユニット２０１は、絞り２０２、レンズ群２０３、絞り駆動回路２０４、ＡＦ（オートフォーカス）駆動回路２０５、レンズ制御回路２０６、通信端子２０７等を有する。絞り２０２は、開口径が調整可能に構成される。レンズ群２０３は、複数枚のレンズから構成される。絞り駆動回路２０４は、絞り２０２の開口径を制御することで光量を調整する。ＡＦ駆動回路２０５は、レンズ群２０３を駆動させて焦点を合わせる。レンズ制御回路２０６は、後述するシステム制御部５０の指示に基づいて、絞り駆動回路２０４、ＡＦ駆動回路２０５等を制御する。レンズ制御回路２０６は、絞り駆動回路２０４を介して絞り２０２の制御を行い、ＡＦ駆動回路２０５を介してレンズ群２０３の位置を変位させることで焦点を合わせる。レンズ制御回路２０６は、カメラ１００との間で通信可能である。具体的には、レンズユニット２０１の通信端子２０７と、カメラ１００の通信端子１２０とを介して通信される。
【００１３】
次に、カメラ１００について説明する。
カメラ１００は、クイックリターンミラー１１８、フォーカシングスクリーン２０８、ペンタプリズム２０９、ＡＥ（自動露出）センサ２１０、焦点検出部２１１、ファインダ１１４、シャッター２１２、撮像部２１３、システム制御部５０を有する。
クイックリターンミラー１１８（以下、ミラー１１８）は、露光、ライブビュー画像の表示、動画撮影をする場合に、システム制御部５０の指示に基づいてアクチュエータによりアップダウンされる。ミラー１１８は、レンズ群２０３から入射した光束をファインダ１１４側または撮像部２１３側に切替える。通常の場合には、ミラー１１８は光束をファインダ１１４側に導くように配置される。一方、撮影する場合やライブビュー画像を表示する場合には、ミラー１１８は光束を撮像部２１３に導くように上方に跳ね上がり待避する（ミラーアップ）。また、ミラー１１８は、中央部が光の一部を透過するハーフミラーで構成され、光束の一部が焦点検出を行うための焦点検出部２１１に入射するように透過させる。
【００１４】
ＡＥセンサ２１０は、レンズユニット２０１を通した被写体の輝度を測光する。
焦点検出部２１１は、ミラー１１８により透過された光束に基づいてデフォーカス量を検出する。システム制御部５０はデフォーカス量に基づいてレンズユニット２０１を制御し、位相差ＡＦを行う。ユーザは、ペンタプリズム２０９とファインダ１１４を介して、フォーカシングスクリーン２０８を観察することで、レンズユニット２０１を通して得た被写体の光学像の焦点や構図を確認することができる。シャッター２１２は、システム制御部５０の指示に基づいて撮像部２１３の露光時間を自由に制御できるフォーカルプレーンシャッターである。撮像部２１３は、光学像を電気信号に変換するＣＣＤやＣＭＯＳ素子等で構成される撮像素子である。
【００１５】
また、カメラ１００は、Ａ／Ｄ変換器２１４、メモリ制御部２１５、画像処理部２１６、メモリ２１７、Ｄ／Ａ変換器２１８、表示部１０５を有する。Ａ／Ｄ変換器２１４は、撮像部２１３から出力されるアナログ信号をデジタル信号に変換する。画像処理部２１６は、Ａ／Ｄ変換器２１４からの画像データまたはメモリ制御部２１５からの画像データに対し所定の画素補間、縮小といったリサイズ処理や色変換処理を行う。また、画像処理部２１６では、撮影した画像データを用いて所定の演算処理が行われ、得られた演算結果に基づいてシステム制御部５０が露光制御、測距制御を行う。この処理により、ＴＴＬ（スルー・ザ・レンズ）方式のＡＦ処理、ＡＥ処理、ＥＦ（フラッシュプリ発光）処理が行われる。更に、画像処理部２１６では、撮影した画像データを用いて所定の演算処理を行い、得られた演算結果に基づいてＴＴＬ方式のＡＷＢ（オートホワイトバランス）処理も行っている。
【００１６】
Ａ／Ｄ変換器２１４からの画像データは、画像処理部２１６およびメモリ制御部２１５を介して、または、メモリ制御部２１５を介してメモリ２１７に直接書き込まれる。メモリ２１７は、撮像部２１３によって得られＡ／Ｄ変換器２１４によりデジタルデータに変換された画像データや、表示部１０５に表示するための画像データを記憶する。メモリ２１７は、所定枚数の静止画像や所定時間の動画および音声を記憶するのに十分な記憶容量を備えている。また、メモリ２１７は、画像表示用のメモリ（ビデオメモリ）を兼ねている。
【００１７】
Ｄ／Ａ変換器２１８は、メモリ２１７に記憶されている表示用の画像データをアナログ信号に変換して表示部１０５に供給する。したがって、メモリ２１７に書き込まれた表示用の画像データは、Ｄ／Ａ変換器２１８を介して表示部１０５により表示される。表示部１０５は、ＬＣＤ等の表示器上にＤ／Ａ変換器２１８からのアナログ信号に応じた表示を行う。Ａ／Ｄ変換器２１４によって一度Ａ／Ｄ変換されメモリ２１７に蓄積されたデジタル信号をＤ／Ａ変換器２１８でアナログ変換し、表示部１０５に逐次転送して表示することでライブビュー画像を表示（スルー表示）でき、電子ビューファインダとして機能する。
【００１８】
また、カメラ１００は、ファインダ内表示部２１９、ファインダ内表示駆動回路２２０、ファインダ外表示部１０４、ファインダ外表示駆動回路２２１、不揮発性メモリ２２２、システムメモリ２２３、システムタイマ２２４を有する。ファインダ内表示部２１９は、ファインダ内表示駆動回路２２０を介して、現在ＡＦが行われている位置を示す枠や、カメラの設定状態を表すアイコン等を表示する。ファインダ外表示部１０４は、ファインダ外表示駆動回路２２１を介してシャッター速度や絞り等の設定値を表示する。不揮発性メモリ２２２は、電気的に消去・記憶可能なメモリであり、例えばＥＥＰＲＯＭ等が用いられる。不揮発性メモリ２２２には、システム制御部５０の動作用の定数、プログラム、閾値等が記憶される。このプログラムは、後述するフローチャートの処理を実行するためのプログラムである。
【００１９】
システムメモリ２２３は、例えばＲＡＭが用いられる。システムメモリ２２３には、システム制御部５０の動作用の定数、変数、不揮発性メモリ２２２から読み出したプログラム等が展開される。システムタイマ２２４は、各種制御に用いる時間や、内蔵された時計の時間を計測する計時部である。
システム制御部５０は、少なくとも１つのプロセッサーを有し、カメラ１００全体を制御する。システム制御部５０は、上述した不揮発性メモリ２２２に格納されたプログラムを実行することで、後述する各処理を実現する。また、システム制御部５０は、メモリ２１７、Ｄ／Ａ変換器２１８、表示部１０５等を制御することにより表示制御も行う。システム制御部５０は、登録手段、判別手段、制御手段の一例に対応する。
【００２０】
また、カメラ１００は、モード切替スイッチ１０３、第１シャッタースイッチ２２５、第２シャッタースイッチ２２６、操作部２２７等のシステム制御部５０に各種の動作指示を入力するための操作手段を有する。
モード切替スイッチ１０３は、静止画撮影モード、動画撮影モードおよび再生モード等の何れかに切替えるための操作部である。システム制御部５０は、モード切替スイッチ１０３により切替えられたモードを設定する。静止画撮影モードに含まれるモードには、オート撮影モード、オートシーン判別モード、マニュアルモード、絞り優先モード（Ａｖモード）、シャッター速度優先モード（Ｔｖモード）等がある。また、撮影シーン別の撮影設定となる各種シーンモード、プログラムＡＥモード、カスタムモード等がある。モード切替スイッチ１０３により、上述したモードの何れかに直接切替えることができる。また、モード切替スイッチ１０３によりメニューボタンに一旦切替えた後に、メニューボタンに含まれる上述したモードの何れかに、他の操作部を用いて切替えてもよい。同様に、動画撮影モードにも複数のモードが含まれていてもよい。
【００２１】
第１シャッタースイッチ２２５は、シャッターボタン１０１の操作途中、いわゆる半押し（撮影準備指示）でオンとなり、第１シャッタースイッチ信号ＳＷ１を発生させる。システム制御部５０は、第１シャッタースイッチ信号ＳＷ１により、ＡＦ処理、ＡＥ処理、ＡＷＢ処理、ＥＦ処理等の動作を開始する。
第２シャッタースイッチ２２６は、シャッターボタン１０１の操作完了、いわゆる全押し（撮影指示）でオンとなり、第２シャッタースイッチ信号ＳＷ２を発生させる。システム制御部５０は、第２シャッタースイッチ信号ＳＷ２により、撮像部２１３からの信号読み出しから記録媒体２４０に画像データを書き込むまでの一連の撮影処理の動作を開始する。
【００２２】
操作部２２７は、ユーザからの操作を受け付ける入力部としての各種操作部材である。操作部２２７は、表示部１０５に表示される種々の機能アイコンを選択操作すること等により、場面ごとに適宜機能が割り当てられ、各種機能ボタンとして作用する。機能ボタンとしては、例えば、終了ボタン、戻るボタン、画像送りボタン、ジャンプボタン、絞込みボタン、属性変更ボタン等がある。例えば、メニューボタンが押下されると各種の設定可能なメニュー画面が表示部１０５に表示される。ユーザは表示部１０５に表示されたメニュー画面と、十字キー１０８やＳＥＴボタン１０９等とを用いて直感的に各種設定を行うことができる。操作部２２７は、例えば、シャッターボタン１０１、メイン電子ダイヤル１０２、電源スイッチ１０６、サブ電子ダイヤル１０７、十字キー１０８、ＳＥＴボタン１０９が含まれる。また、操作部２２７は、例えば、ライブビューボタン１１０、拡大ボタン１１１、縮小ボタン１１２、再生ボタン１１３等が含まれる。
【００２３】
また、カメラ１００は、電源制御部２２８、電源部２２９、記録媒体Ｉ／Ｆ２３０、通信部２３１、姿勢検知部２３２等を有する。電源制御部２２８は、電池検出回路、ＤＣ−ＤＣコンバータ、通電するブロックを切替えるスイッチ回路等により構成され、電池の装着の有無、電池の種類、電池残量の検出を行う。また、電源制御部２２８は、その検出結果およびシステム制御部５０の指示に基づいてＤＣ−ＤＣコンバータを制御し、必要な電圧を必要な期間、記録媒体２４０を含む各部へ供給する。電源部２２９は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ２３０は、メモリカードやハードディスク等の記録媒体２４０とのインターフェースである。記録媒体２４０は、撮影された画像を記憶するためのメモリカード等の記録媒体であり、半導体メモリや磁気ディスク等から構成される。通信部２３１は、カメラ１００を無線または有線ケーブルによって外部機器に接続し、映像信号や音声信号の送受信を行う。また、通信部２３１は、撮像部２１３により撮影された画像（ライブビュー画像を含む）や、記録媒体２４０に記憶された画像を送信したり、外部機器から画像データやその他の各種情報を受信したりすることができる。なお、通信部２３１は、無線ＬＡＮ（Ｌｏｃａｌ  Ａｒｅａ  Ｎｅｔｗｏｒｋ）やインターネットとも接続可能である。
姿勢検知部２３２は、重力方向に対するカメラ１００の姿勢を検知する。システム制御部５０は、姿勢検知部２３２により検知された姿勢に基づいて、撮像部２１３で撮影された画像がカメラ１００を横に構えて撮影された画像であるか、縦に構えて撮影された画像であるか判別することができる。なお、システム制御部５０は、姿勢検知部２３２で検知された姿勢に応じた向き情報を、撮像部２１３により撮影された画像データに付加したり、画像を回転して記憶したりすることができる。姿勢検知部２３２には加速度センサやジャイロセンサ等を用いることができる。
【００２４】
次に、本実施形態のカメラ１００による処理について図３および後述する図４のフローチャートを参照して説明する。図３は、ＡＦ測距点を登録する処理および装着されたレンズユニットに応じてＡＦを行う位置を登録されたＡＦ測距点に切替える処理の一例を示すフローチャートである。図３のフローチャートは、システム制御部５０が不揮発性メモリ２２２に格納されたプログラムをシステムメモリ２２３に展開して実行することで実現される。図３のフローチャートは、カメラ１００の電源がオンになることで開始される。
【００２５】
Ｓ３０１では、システム制御部５０はカメラ１００にレンズユニット２０１が装着部１１９に装着されたか否かを判定する。レンズユニット２０１が装着された場合にはＳ３０２に進む。レンズユニット２０１が装着されていない場合にはレンズユニット２０１が装着されるのを待機する。
Ｓ３０２では、システム制御部５０は装着されたレンズユニット２０１を特定するための識別情報としてのレンズＩＤを取得する。具体的には、システム制御部５０は通信端子２０７、１２０を介してレンズユニット２０１のレンズ制御回路２０６からレンズＩＤを取得する。この処理は、レンズユニット２０１の種別を判別する判別手段による処理の一例に対応する。
【００２６】
Ｓ３０３では、システム制御部５０は装着されたレンズユニット２０１によってＡＦ測距点を制限するか否かを判定する。具体的には、システム制御部５０は取得したレンズＩＤに基づいてＡＦ測距点を制限するか否かを判定する。例えば、不揮発性メモリ２２２には、測距点を制限するレンズＩＤの情報が記憶されている。ＡＦ測距点を制限する場合にはＳ３０４に進む。ＡＦ測距点を制限しない場合にはＳ３０５に進む。
Ｓ３０４では、システム制御部５０が使用可能なＡＦ測距点を制限する。不揮発性メモリ２２２には、レンズＩＤに関連付けて、制限するＡＦ測距点の情報が記憶されている。この処理は、入ってくる光の量等のレンズユニット２０１の固有の特性（例えばＦ値）によって、十分なＡＦ性能を発揮できないＡＦ測距点を制限するための処理である。例えば、Ｆ値が小さいレンズユニットよりもＦ値が大きいレンズユニットが装着された場合には使用可能なＡＦ測距点が少なくなる。
【００２７】
図５は、表示部１０５に表示されるＡＦ位置設定画面の一例を示す図である。
ＡＦ位置設定画面５００は、ＡＦ測距点が制限される前の設定画面である。
ＡＦ位置設定画面５００では、複数（例えば６１点）のＡＦ測距点５０１が表示される。ＡＦ測距点５０１は、例えば矩形状である。枠５０２は、現時点でＡＦを行う位置（フォーカス調整位置）を示し、ＡＦ測距点５０１の一つに位置する。また、枠５０３は、後述する切替え先として登録されているＡＦ測距点を示している。なお、ＡＦを行う位置を示す表示は、枠５０２である場合に限られず、ユーザが識別可能であればよく、例えば、ＡＦを行う位置のＡＦ測距点５０１を他のＡＦ測距点５０１とは異なる色に表示してもよい。
また、図５では、通常よりも狭い１点にピントを合わせるためにスポット１点ＡＦアイコン５０４が選択されたときのＡＦ測距点５０１の例を示している。ユーザはＡＦを行う範囲（領域）に応じて、通常１点ＡＦアイコン５０５、領域拡大ＡＦアイコン５０６、領域周囲拡大ＡＦアイコン５０７、ゾーンＡＦアイコン５０８、ラージゾーンＡＦアイコン５０９、自動選択ＡＦアイコン５１０を選択可能である。
【００２８】
図６は、表示部１０５に表示されるＡＦ位置設定画面６００の一例を示す図である。なお、図５の同様の構成は同一符号を付している。
ＡＦ位置設定画面６００は、ＡＦ測距点が制限された後の設定画面である。
ＡＦ位置設定画面６００では、図５のＡＦ位置設定画面５００のＡＦ測距点５０１よりも少ない（例えば４７点）のＡＦ測距点６０１が表示される。枠６０２は、現時点でＡＦを行う位置を示し、ＡＦ測距点６０１の一つに位置する。また、６０３はＡＦ測距点が制限されたことによって使用できなくなったＡＦ測距点の位置を示している。図６では、図５の６１点のＡＦ測距点５０１のうち左右両側で１４点のＡＦ測距点５０１が使用できなくなり、４７点のＡＦ測距点に制限された例を示している。
【００２９】
Ｓ３０５では、システム制御部５０は装着されたレンズユニット２０１に対応するレンズ固有ＡＦ測距点が登録されているか否かを判定する。具体的には、システム制御部５０はレンズユニット２０１のレンズＩＤに関連付けてレンズ固有ＡＦ測距点の情報が不揮発性メモリ２２２に記憶されているか否かを判定する。ここで、レンズ固有ＡＦ測距点とは、レンズユニット２０１の種別に対応した固有のＡＦ測距点をいう。ユーザはレンズユニット２０１ごとにＡＦを比較的によく行う位置のＡＦ測距点を、レンズ固有ＡＦ測距点として登録可能である。レンズ固有ＡＦ測距点を登録する処理は、図４のフローチャートを参照して後述する。レンズ固有ＡＦ測距点が登録されている場合にはＳ３０６に進む。レンズ固有ＡＦ測距点が登録されていない場合にはＳ３０７に進む。
Ｓ３０６では、システム制御部５０は装着されたレンズユニット２０１に対応するレンズ固有ＡＦ測距点を読み出す。具体的には、システム制御部５０はレンズユニット２０１のレンズＩＤに関連付けられたレンズ固有ＡＦ測距点の情報を不揮発性メモリ２２２からシステムメモリ２２３に読み出す。
【００３０】
Ｓ３０７では、システム制御部５０はレンズ共通ＡＦ測距点が登録されているか否かを判定する。具体的には、システム制御部５０はレンズ共通ＡＦ測距点の情報が不揮発性メモリ２２２に記憶されているか否かを判定する。ここで、レンズ共通ＡＦ測距点とは、複数のレンズユニット２０１の種別に対応する共通のＡＦ測距点をいう。ユーザは複数のレンズユニット２０１に共通するようなＡＦを行う位置のＡＦ測距点を、レンズ共通ＡＦ測距点として登録可能である。レンズ共通ＡＦ測距点を登録する処理は、図４のフローチャートを参照して後述する。レンズ共通ＡＦ測距点が登録されている場合にはＳ３０８に進む。レンズ共通ＡＦ測距点が登録されていない場合にはＳ３０９に進む。
Ｓ３０８では、システム制御部５０はレンズ共通ＡＦ測距点を読み出す。具体的には、システム制御部５０はレンズ共通ＡＦ測距点の情報を不揮発性メモリ２２２からシステムメモリ２２３に読み出す。
【００３１】
Ｓ３０９は切替え先ＡＦ測距点を登録する処理であり、図４のフローチャートを参照して説明する。図４のフローチャートは、システム制御部５０が不揮発性メモリ２２２に格納されたプログラムをシステムメモリ２２３に展開して実行することで実現される。
Ｓ４０１では、システム制御部５０はＡＦを行う位置を、登録されたＡＦ測距点に切替える機能が操作部２２７の何れかの操作部材に割り当てられているか否かを判定する。システム制御部５０はユーザによる操作に応じて、ＡＦを行う位置を、登録されたＡＦ測距点に切替える機能を予め操作部２２７の何れかの操作部材に割り当てることができる。なお、割り当てられる操作部２２７の操作部材は物理的な操作部材である場合に限られず、表示部１０５に表示されるタッチ可能なアイテム等であってもよい。登録されたＡＦ測距点に切替える機能が操作部２２７の何れかの操作部材に割り当てられている場合にはＳ４０２に進む。割り当てられていない場合にはＳ４１８に進む。
【００３２】
Ｓ４０２では、システム制御部５０は切替え可能なＡＦ測距点が登録されているか否かを判定する。切替え可能なＡＦ測距点は、レンズ固有ＡＦ測距点およびレンズ共通ＡＦ測距点の何れであってもよい。具体的には、システム制御部５０は上述したＳ３０６またはＳ３０８においてＡＦ測距点を読み出した場合には切替え可能なＡＦ測距点が登録されていると判定する。ただし、Ｓ３０８においてレンズ共通ＡＦ測距点を読み出した場合でも、読み出したレンズ共通ＡＦ測距点がＳ３０４において制限されている場合には切替え可能ではないことから、システム制御部５０は切替え可能なＡＦ測距点が登録されていないと判定する。
切替え可能なＡＦ測距点が登録されている場合にはＳ４０３に進み、登録されていない場合にはＳ４０６に進む。ただし、登録されていない場合にＳ４０４に進んでもよい。
【００３３】
Ｓ４０３では、システム制御部５０はカメラ１００にレンズユニット２０１が装着されたのが撮影待機画面の状態であるか否かを判定する。レンズユニット２０１が装着されたのが撮影待機画面の状態である場合にはＳ４０４に進み、撮影待機画面の状態ではない場合にはＳ４０９に進む。
Ｓ４０４では、システム制御部５０は表示部１０５に切替え先のＡＦ測距点を登録するか否かについてのガイダンスを表示する。この処理は、Ｓ３０１においてレンズユニット２０１の装着の判定を経由した後の処理であり、レンズユニット２０１を装着したときには、ユーザはＡＦ測距点を登録したいと所望することが想定される。また、撮影待機画面の状態では、ユーザは例えばライブビュー画像を確認しながらＡＦ測距点を登録したいと所望することが想定される。このように、Ｓ４０４のタイミングでＡＦ測距点を登録するかの確認のガイダンスを表示することで、ユーザはＡＦ測距点を登録できることを認識できると共に、直ぐにＡＦ測距点を登録する操作に移行することができる。
【００３４】
図７は、切替え先のＡＦ測距点を登録するガイダンスを含む撮影待機画面７００の一例を示す図である。
撮影待機画面７００には、ガイダンス７０１が表示される。ガイダンス７０１には、選択項目７０２〜７０４が表示される。選択項目７０２は、レンズ固有ＡＦ測距点を登録する場合に選択するボタンである。選択項目７０３は、レンズ共通ＡＦ測距点を登録する場合に選択するボタンである。選択項目７０４は、ＡＦ測距点を登録しない場合に選択するボタンである。ユーザは操作部２２７を用いて選択項目７０２〜７０４のうち何れか一つを選択可能である。
【００３５】
Ｓ４０５では、システム制御部５０はレンズ固有ＡＦ測距点の登録モードが選択されたか否かを判定する。レンズ固有ＡＦ測距点の登録モードとは、装着されたレンズユニット２０１の種別に対応したレンズ固有ＡＦ測距点を登録するモードである。具体的には、システム制御部５０は図７の選択項目７０２が選択された場合に、レンズ固有ＡＦ測距点の登録モードが選択されたと判定する。レンズ固有ＡＦ測距点の登録モードが選択された場合にはＳ４０６に進む。レンズ固有ＡＦ測距点の登録モードが選択されていない場合にはＳ４０７に進む。
Ｓ４０６では、システム制御部５０はレンズ固有ＡＦ測距点の登録モードに移行して、ＡＦ位置設定画面を表示する。具体的には、システム制御部５０は図５のＡＦ位置設定画面５００を表示する。このとき、システム制御部５０は上述したＳ３０２において使用可能なＡＦ測距点を制限している場合には使用可能なＡＦ測距点のみを表示する。すなわち、図６のＡＦ位置設定画面６００のように表示され、登録可能なレンズ固有ＡＦ測距点が制限される。なお、システム制御部５０は移行した登録モードの情報をシステムメモリ２２３に記憶する。
【００３６】
Ｓ４０７では、システム制御部５０はレンズ共通ＡＦ測距点の登録モードが選択されたか否かを判定する。レンズ共通ＡＦ測距点の登録モードとは、装着されたレンズユニット２０１の種別に限られず、複数のレンズユニット２０１の種別に対応するレンズ共通ＡＦ測距点を登録するモードである。具体的には、システム制御部５０は図７の選択項目７０３が選択された場合に、レンズ共通ＡＦ測距点の登録モードが選択されたと判定する。レンズ共通ＡＦ測距点の登録モードが選択された場合にはＳ４０８に進む。一方、レンズ共通ＡＦ測距点の登録モードが選択されていない場合には図７の選択項目７０４が選択された場合、すなわちＡＦ測距点を登録しないことが選択された場合に相当し、Ｓ４１８に進む。
Ｓ４０８では、システム制御部５０はレンズ共通ＡＦ測距点の登録モードに移行して、ＡＦ位置設定画面を表示する。具体的には、システム制御部５０は上述したＳ３０２において使用可能なＡＦ測距点を制限している場合であっても、図５のＡＦ位置設定画面５００に示すように、全てのＡＦ測距点を表示する。ただし、装着されたレンズユニット２０１では、一部のＡＦ測距点には切替えることができないことをユーザに識別可能に表示することが好ましい。なお、システム制御部５０は移行した登録モードの情報をシステムメモリ２２３に記憶する。
【００３７】
一方、Ｓ４０３からＳ４０９に進んだ場合には、システム制御部５０はユーザによりＡＦ位置設定画面に遷移する操作が行われたか否かを判定する。具体的には、システム制御部５０はユーザによる操作部２２７を用いて設定メニューからＡＦ位置設定が選択された場合にＡＦ位置設定画面に遷移する操作が行われたと判定する。なお、ＡＦ位置設定画面に遷移する操作は、ＡＦ位置設定画面への遷移の指示が割り当てられたボタンを押下する操作であってもよい。ＡＦ位置設定画面に遷移する操作が行われた場合にはＳ４１０に進む。ＡＦ位置設定画面に遷移する操作が行われていない場合には当該操作を待機する。
【００３８】
Ｓ４１０では、システム制御部５０はＡＦ位置設定画面を表示し、レンズ固有ＡＦ測距点の登録モードに移行するか否かのガイダンスを表示する。すなわち、ユーザはレンズ固有ＡＦ測距点を登録したいケースと、レンズ共通ＡＦ測距点を登録したいケースとが想定されるために、システム制御部５０はユーザに対して確認のガイダンスを表示する。
【００３９】
図８は、レンズ固有ＡＦ測距点の登録モードに移行するかのガイダンスを含むＡＦ位置設定画面８００の一例を示す図である。
ＡＦ位置設定画面８００には、ガイダンス８０１が表示される。ガイダンス８０１には、選択項目８０２〜８０３が表示される。選択項目８０２は、レンズ固有ＡＦ測距点の登録モードに移行する場合に選択するボタンである。選択項目８０３は、レンズ共通ＡＦ測距点の登録モードに移行する場合に選択するボタンである。ユーザは操作部２２７を用いて選択項目８０２、８０３のうち何れか一つを選択可能である。
【００４０】
Ｓ４１１では、システム制御部５０はレンズ固有ＡＦ測距点の登録モードが選択されたか否かを判定する。具体的には、システム制御部５０は図８の選択項目８０２が選択された場合にレンズ固有ＡＦ測距点の登録モードが選択されたと判定する。レンズ固有ＡＦ測距点の登録モードが選択された場合にはＳ４１２に進む。レンズ固有ＡＦ測距点の登録モードが選択されない場合は、図８の選択項目８０３が選択された場合、すなわちレンズ共通ＡＦ測距点の登録モードが選択された場合に相当し、Ｓ４１３に進む。
Ｓ４１２では、システム制御部５０はレンズ固有ＡＦ測距点の登録モードに移行する。この処理は、Ｓ４０６と同様の処理である。システム制御部５０は移行した登録モードの情報をシステムメモリ２２３に記憶する。
Ｓ４１３では、システム制御部５０はレンズ共通ＡＦ測距点の登録モードに移行する。この処理は、Ｓ４０８と同様の処理である。システム制御部５０は移行した登録モードの情報をシステムメモリ２２３に記憶する。
【００４１】
Ｓ４１４では、システム制御部５０がユーザによりＡＦ測距点を登録する操作が行われたか否かを判定する。具体的には、システム制御部５０はユーザにより操作部２２７の十字キー１０８等を用いてＡＦ測距点を選択した上で、ＳＥＴボタン１０９で確定する操作が行われ場合に、ＡＦ測距点を登録する操作が行われたと判定する。なお、Ｓ４０６またはＳ４１２からＳ４１４に進んだ場合であって、上述したＳ３０２において使用可能なＡＦ測距点が制限されている場合には、制限されたＡＦ測距点を選択することができない。ＡＦ測距点を登録する操作が行われた場合にはＳ４１５に進む。ＡＦ測距点を登録する操作が行われない場合にはＡＦ測距点を登録する操作を待機する。
【００４２】
Ｓ４１５では、システム制御部５０は現在の登録モードがレンズ固有ＡＦ測距点の登録モードであるか否かを判定する。具体的には、システム制御部５０はシステムメモリ２２３に記憶された情報に基づいて登録モードを判定することができる。現在の登録モードがレンズ固有ＡＦ測距点の登録モードの場合にはＳ４１６に進む。現在の登録モードがレンズ固有ＡＦ測距点の登録モードではない場合にはＳ４１７に進む。
【００４３】
Ｓ４１６では、システム制御部５０は装着部１１９に装着されたレンズユニット２０１に対応してレンズ固有ＡＦ測距点を登録する。この処理は、登録手段による処理の一例に対応する。具体的には、システム制御部５０はＳ４１４で選択されたＡＦ測距点をレンズ固有ＡＦ測距点として、レンズユニット２０１のレンズＩＤに関連付けて不揮発性メモリ２２２に記憶する。
Ｓ４１７では、システム制御部５０はレンズ共通ＡＦ測距点を登録する。この処理は、登録手段による処理の一例に対応する。具体的には、システム制御部５０はＳ４１４で選択されたＡＦ測距点をレンズ共通ＡＦ測距点として不揮発性メモリ２２２に記憶する。
【００４４】
Ｓ４１８では、システム制御部５０は切替え先のＡＦ測距点の登録を終了する操作が行われたか否かを判定する。登録を終了する操作が行われた場合には図４のフローチャートを終了し、図３のフローチャートのＳ３１０に進む。登録を終了する操作が行われていない場合にはＳ４０１に戻る。なお、上述したようにＳ４０１においてＡＦを行う位置を、登録されたＡＦ測距点に切替える機能が操作部２２７の何れかの操作部材に割り当てられていない場合にはＳ４１８に進む。この場合、レンズ固有ＡＦ測距点およびレンズ共通ＡＦ測距点の何れもが登録されることなく図４のフローチャートを終了する。
【００４５】
図３のフローチャーに戻り、Ｓ３１０以降の処理について説明する。
Ｓ３１０では、システム制御部５０はＡＦを行う位置を、登録されたＡＦ測距点に切替える機能が操作部２２７に割り当てられているか否かを判定する。この処理は、Ｓ４０１と同様の処理である。登録されたＡＦ測距点に切替える機能が操作部２２７に割り当てられている場合にはＳ３１１に進む。割り当てられていない場合には図３のフローチャートの処理を終了する。ただし、登録されたＡＦ測距点に切替える機能が操作部２２７に割り当てられていない場合、システム制御部５０はユーザにより、登録されたＡＦ測距点に切替える機能を操作部２２７に割り当てるまで待機してもよい。
Ｓ３１１では、システム制御部５０は登録されたＡＦ測距点に切替える機能が割り当てられた操作部２２７が操作されたか否かを判定する。登録されたＡＦ測距点に切替える機能が割り当てられた操作部２２７に対する操作は、特定の操作の一例に対応する。当該機能が割り当てられた操作部２２７が操作された場合にはＳ３１２に進み、操作されていない場合には当該操作を待機する。
【００４６】
Ｓ３１２では、システム制御部５０は装着部１１９に装着されているレンズユニット２０１に対応するレンズ固有ＡＦ測距点が登録されているか否かを判定する。具体的には、システム制御部５０は装着されたレンズユニット２０１のレンズＩＤに関連付けられたレンズ固有ＡＦ測距点が不揮発性メモリ２２２に記憶されているか否かを判定する。装着されているレンズユニット２０１に対応するレンズ固有ＡＦ測距点が登録されている場合にはＳ３１３に進み、登録されていない場合にはＳ３１４に進む。
Ｓ３１３では、システム制御部５０はＡＦを行う位置を登録されたレンズ固有ＡＦ測距点に切替える。したがって、装着されているレンズユニット２０１においてユーザがＡＦを行う位置として登録したＡＦ測距点に直ぐに切替えることができる。
【００４７】
Ｓ３１４では、システム制御部５０はレンズ共通ＡＦ測距点が登録されているか否かを判定する。具体的には、システム制御部５０はレンズ共通ＡＦ測距点が不揮発性メモリ２２２に記憶されているか否かを判定する。レンズ共通ＡＦ測距点が登録されている場合にはＳ３１５に進み、登録されていない場合にはＳ３１６に進む。
Ｓ３１５では、システム制御部５０はＡＦを行う位置を登録されたレンズ共通ＡＦ測距点に切替える。したがって、複数のレンズユニット２０１においてユーザが共通してＡＦを行いたい位置として登録したＡＦ測距点に直ぐに切替えることができる。
なお、Ｓ３１２からＳ３１５までの処理では、まずＳ３１２においてレンズ固有ＡＦ測距点が登録されているか否かが判定され、レンズ固有ＡＦ測距点が登録されている場合にはＡＦを行う位置が登録されたレンズ固有ＡＦ測距点に切替えられる。一方、レンズ固有ＡＦ測距点が登録されていない場合にＳ３１４においてレンズ共通ＡＦ測距点が登録されているか否かが判定される。したがって、レンズ固有ＡＦ測距点が登録されている場合には、レンズ共通ＡＦ測距点よりも優先して、登録されたレンズ固有ＡＦ測距点に切替えられる。
【００４８】
Ｓ３１６では、システム制御部５０はＡＦを行う位置を中央の測距点に切替える。このように、レンズ固有ＡＦ測距点およびレンズ共通ＡＦ測距点の何れもが登録されていない場合には、一般的な撮影において最もＡＦを行う位置であると想定される中央のＡＦ測距点に切替えられる。
Ｓ３１７では、システム制御部５０はＡＦ測距点の切替えを終了する操作が行われたか否かを判定する。ＡＦ測距点の切替えを終了する操作が行われた場合には図３のフローチャートの処理を終了する。操作が行われていない場合にはＡＦ測距点の切替えを終了する操作を待機する。
【００４９】
本実施形態によれば、特定の操作があったことに応じて、切替え前のＡＦを行う位置（フォーカス調整位置）に関わらず、装着中のレンズユニット２０１の種別に対応して、予め登録された位置にＡＦを行う位置を切替える。このように、ユーザによる特定の操作に応じて、装着中のレンズユニット２０１の種別に対応して予め登録された位置にＡＦを行う位置が切替えられる。したがって、特性の異なる交換レンズを用いる場合であっても、ユーザが登録した位置でＡＦを行うことができる。
【００５０】
また、本実施形態によれば、ＡＦを行う位置として、装着中のレンズユニット２０１の種別に対応した位置以外にも、複数のレンズユニット２０１の種別に対応する共通な位置を登録することができる。したがって、全てのレンズユニット２０１の種別に対して一つずつＡＦを行う位置を登録する必要がなく、ユーザが共通する位置でＡＦを行い場合には一度で登録することができる。
【００５１】
また、本実施形態によれば、装着中のレンズユニット２０１の種別に対応する位置が登録されている場合には、特定の操作に応じてＡＦを行う位置を装着中のレンズユニット２０１の種別に対応する位置に切替える。一方、装着中のレンズユニット２０１の種別に対応する位置が登録されていない場合には、特定の操作に応じてＡＦを行う位置を複数のレンズユニット２０１の種別に対応する共通な位置に切替える。すなわち、装着中のレンズユニット２０１の種別に対応する位置が登録されている場合には優先して、レンズユニット２０１の種別に対応する位置にＡＦを行う位置が切替えられるので、ユーザはより所望する位置でＡＦを行うことができる。
【００５２】
また、本発明をその好適な実施形態に基づいて詳述してきたが、本発明はこれら特定の実施形態に限られるものではなく、この発明の要旨を逸脱しない範囲の様々な形態も本発明に含まれる。また、上述した各実施形態は本発明の一実施形態を示すものにすぎず、適宜、変更することが可能である。
なお、システム制御部５０が行うものとして説明した上述の各種制御は１つのハードウェアが行ってもよいし、複数のハードウェア（例えば、複数のプロセッサーや回路）が処理を分担することで、装置全体の制御を行ってもよい。
【００５３】
また、上述した実施形態においては、本発明をデジタルカメラに適用した場合を例にして説明したが、この場合に限られず、交換レンズを装着できる撮像装置であれば、適用可能である。すなわち、本発明は、交換レンズを装着できるスマートフォンやタブレット端末等にも適用可能である。
また、撮像装置本体に限らず、有線または無線通信を介して撮像装置（ネットワークカメラを含む）と通信し、撮像装置を遠隔で制御する制御装置にも本発明を適用可能である。撮像装置を遠隔で制御する装置としては、例えば、スマートフォンやタブレットＰＣ、デスクトップＰＣなどの装置がある。制御装置側で行われた操作や制御装置側で行われた処理に基づいて、制御装置側から撮像装置に各種動作や設定を行わせるコマンドを通知することにより、撮像装置を遠隔から制御可能である。また、撮像装置で撮影したライブビュー画像を有線または無線通信を介して受信して制御装置側で表示できるようにしてもよい。
【００５４】
（他の実施形態）
本発明は、以下の処理を実行することによっても実現される。すなわち、上述した実施形態の機能を実現するプログラムをネットワークまたは各種記憶媒体を介してシステム或いは装置に供給し、そのシステム或いは装置のコンピュータ（又はＣＰＵやＭＰＵ等）がプログラムコードを読み出して実行する処理である。この場合、そのプログラムおよび該プログラムを記録した記録媒体は本発明を構成する。
【符号の説明】
【００５５】
５０：システム制御部  １００：デジタルカメラ  １０５：表示部  １１９：装着部  ２２７：操作部  ２０１：レンズユニット  ２０６：レンズ制御回路  ２１３：撮像部  ２１６：画像処理部  ２２２：不揮発性メモリ  ２４０：記録媒体
【図１】
2019124807.tif 000003
【図２】
2019124807.tif 000004
【図３】
2019124807.tif 000005
【図４】
2019124807.tif 000006
【図５】
2019124807.tif 000007
【図６】
2019124807.tif 000008
【図７】
2019124807.tif 000009
【図８】
2019124807.tif 000010